(57)【要約】【課題】映像を効率的に放送局等に伝送することを可能にする技術を提供することが望ましい。【解決手段】システムであって、管理装置と、所在地が異なる複数のデータセンタのそれぞれに設置された複数のデータ処理装置とを備え、管理装置は、複数のデータ処理装置から、撮影場所に対応するデータ処理装置を選択する選択部と、撮影場所に位置する複数の通信端末のそれぞれから送信される撮影場所において撮影された複数の映像データの送信先が撮影場所に対応するデータ処理装置となるように制御する送信先制御部とを有し、データ処理装置は、複数の映像データを受信するデータ受信部と、複数の映像データを編集して編集済映像データを生成するデータ編集部と、編集済映像データを予め定められた宛先に送信する映像データ送信部とを有する、システムを提供する。【選択図】図１
2020028020.tif 000002
【特許請求の範囲】
【請求項１】
システムであって、
管理装置と、
所在地が異なる複数のデータセンタのそれぞれに設置された複数のデータ処理装置と
を備え、
前記管理装置は、
前記複数のデータ処理装置から、撮影場所に対応するデータ処理装置を選択する選択部と、
前記撮影場所に位置する複数の通信端末のそれぞれから送信される前記撮影場所において撮影された複数の映像データの送信先が前記撮影場所に対応する前記データ処理装置となるように制御する送信先制御部と
を有し、
前記データ処理装置は、
前記複数の映像データを受信するデータ受信部と、
前記複数の映像データを編集して編集済映像データを生成するデータ編集部と、
前記編集済映像データを予め定められた宛先に送信する映像データ送信部と
を有する、システム。
【請求項２】
前記選択部は、前記複数のデータ処理装置から、前記撮影場所に最も近い前記データ処理装置を選択する、請求項１に記載のシステム。
【請求項３】
前記管理装置は、
前記撮影場所の位置情報を取得する位置情報取得部
を有し、
前記選択部は、前記複数のデータ処理装置のそれぞれの位置情報と、前記撮影場所の位置情報とに基づいて、前記撮影場所に対応する前記データ処理装置を選択する、請求項１又は２に記載のシステム。
【請求項４】
前記通信端末は撮影部を有し、
前記データ受信部は、前記撮影部が前記撮影場所において撮影した前記映像データを、前記通信端末から受信する、請求項１から３のいずれか一項に記載のシステム。
【請求項５】
前記通信端末は、撮影装置に接続され、
前記データ受信部は、前記撮影装置が前記撮影場所において撮影した前記映像データを、前記通信端末から受信する、請求項１から３のいずれか一項に記載のシステム。
【請求項６】
前記複数の通信端末から前記データ処理装置までの通信距離は、前記複数の通信端末から前記予め定められた宛先までの通信距離よりも短い、請求項１から５のいずれか一項に記載のシステム。
【請求項７】
前記送信先制御部は、前記複数の通信端末に、前記撮影場所に対応する前記データ処理装置を示す送信先情報を送信することにより、前記複数の通信端末のそれぞれから送信される複数の映像データの送信先が前記撮影場所に対応する前記データ処理装置となるように制御する、請求項１から６のいずれか一項に記載のシステム。
【請求項８】
前記送信先制御部は、前記複数の通信端末と、前記撮影場所に対応する前記データ処理装置との間でＶＰＮを構築することにより、前記複数の通信端末のそれぞれから送信される複数の映像データの送信先が前記撮影場所に対応する前記データ処理装置となるように制御する、請求項１から６のいずれか一項に記載のシステム。
【請求項９】
前記通信端末は、移動体通信端末であり、
前記送信先制御部は、移動体通信加入者の情報を管理する加入者情報管理装置に格納されている前記通信端末に対応する情報を変更することにより、前記通信端末から送信される映像データの送信先が前記撮影場所に対応する前記データ処理装置となるように制御する、請求項１から６のいずれか一項に記載のシステム。
【請求項１０】
前記データ編集部は、前記データ受信部が受信した前記複数の映像データを取得して編集する第１の映像編集ソフトと、前記データ受信部が受信した記複数の映像データを取得して編集する第２の映像編集ソフトとを有する、請求項１から９のいずれか一項に記載のシステム。
【請求項１１】
前記第１の映像編集ソフトは、予め設定された第１の条件に従って前記複数の映像データを編集し、前記第２の映像編集ソフトは、前記第１の条件とは異なる第２の条件に従って前記複数の映像データを編集する、請求項１０に記載のシステム。
【請求項１２】
所在地が異なる複数のデータセンタから、撮影場所に対応するデータセンタを選択する選択部と、
前記撮影場所に位置する複数の通信端末のそれぞれから送信される前記撮影場所において撮影された複数の映像データの送信先が前記撮影場所に対応するデータセンタとなるように制御する送信先制御部と
を備える管理装置。
【請求項１３】
前記選択部は、前記複数のデータセンタから、前記撮影場所に最も近い前記データセンタを選択する、請求項１２に記載の管理装置。
【請求項１４】
前記管理装置は、
前記撮影場所の位置情報を取得する位置情報取得部
を有し、
前記選択部は、前記複数のデータセンタのそれぞれの位置情報と、前記撮影場所の位置情報とに基づいて、前記撮影場所に対応する前記データセンタを選択する、請求項１２又は１３に記載の管理装置。
【請求項１５】
前記送信先制御部は、前記複数の通信端末に、前記撮影場所に対応するデータセンタを示す送信先情報を送信することにより、前記複数の通信端末のそれぞれから送信される複数の映像データの送信先が前記撮影場所に対応する前記データセンタとなるように制御する、請求項１２から１４のいずれか一項に記載の管理装置。
【請求項１６】
前記送信先制御部は、前記複数の通信端末と、前記撮影場所に対応する前記データセンタとの間でＶＰＮを構築することにより、前記複数の通信端末のそれぞれから送信される複数の映像データの送信先が前記撮影場所に対応する前記データセンタとなるように制御する、請求項１２から１４のいずれか一項に記載の管理装置。
【請求項１７】
前記通信端末は、移動体通信端末であり、
前記送信先制御部は、移動体通信加入者の情報を管理する加入者情報管理装置に格納されている前記通信端末に対応する情報を変更することにより、前記通信端末から送信される映像データの送信先が前記撮影場所に対応する前記データセンタとなるように制御する、請求項１２から１４のいずれか一項に記載の管理装置。
【請求項１８】
コンピュータを、請求項１２から１７のいずれか一項に記載の管理装置として機能させるためのプログラム。
【発明の詳細な説明】
【技術分野】
【０００１】
本発明は、システム、管理装置及びプログラムに関する。
【背景技術】
【０００２】
移動中継車から基地局を介して放送局に映像を伝送することによって局外中継を実現する技術が知られていた（例えば、特許文献１参照）。また、遠隔のデータセンタにおいて映像を編集する技術が知られていた（例えば、特許文献２参照）。
［先行技術文献］
［特許文献］
［特許文献１］特開２００８−２５８９４０号公報
［特許文献２］特開２０１２−１１４７４３号公報
【発明の概要】
【発明が解決しようとする課題】
【０００３】
映像を効率的に放送局等に伝送することを可能にする技術を提供することが望ましい。
【課題を解決するための手段】
【０００４】
本発明の第１の態様によれば、システムが提供される。システムは、管理装置と、所在地が異なる複数のデータセンタのそれぞれに設置された複数のデータ処理装置とを備えてよい。管理装置は、複数のデータ処理装置から、撮影場所に対応するデータ処理装置を選択する選択部を有してよい。管理装置は、撮影場所に位置する複数の通信端末のそれぞれから送信される撮影場所において撮影された複数の映像データの送信先が撮影場所に対応するデータ処理装置となるように制御する送信先制御部を有してよい。データ処理装置は、複数の映像データを受信するデータ受信部を有してよい。データ処理装置は、複数の映像データを編集して編集済映像データを生成するデータ編集部を有してよい。データ処理装置は、編集済映像データを予め定められた宛先に送信する映像データ送信部を有してよい。
【０００５】
上記選択部は、上記複数のデータ処理装置から、上記撮影場所に最も近い上記データ処理装置を選択してよい。上記管理装置は、上記撮影場所の位置情報を取得する位置情報取得部を有してよく、上記選択部は、上記複数のデータ処理装置のそれぞれの位置情報と、上記撮影場所の位置情報とに基づいて、上記撮影場所に対応する上記データ処理装置を選択してよい。上記通信端末は撮影部を有してよく、上記データ受信部は、上記撮影部が上記撮影場所において撮影した上記映像データを、上記通信端末から受信してよい。上記通信端末は、撮影装置に接続されてよく、上記データ受信部は、上記撮影装置が上記撮影場所において撮影した上記映像データを、上記通信端末から受信してよい。上記複数の通信端末から上記データ処理装置までの通信距離は、上記複数の通信端末から上記予め定められた宛先までの通信距離よりも短くてよい。
【０００６】
上記送信先制御部は、上記複数の通信端末に、上記撮影場所に対応する上記データ処理装置を示す送信先情報を送信することにより、上記複数の通信端末のそれぞれから送信される複数の映像データの送信先が上記撮影場所に対応する上記データ処理装置となるように制御してよい。上記送信先制御部は、上記複数の通信端末と、上記撮影場所に対応する上記データ処理装置との間でＶＰＮを構築することにより、上記複数の通信端末のそれぞれから送信される複数の映像データの送信先が上記撮影場所に対応する上記データ処理装置となるように制御してよい。上記通信端末は、移動体通信端末であってよく、上記送信先制御部は、移動体通信加入者の情報を管理する加入者情報管理装置に格納されている上記通信端末に対応する情報を変更することにより、上記通信端末から送信される映像データの送信先が上記撮影場所に対応する上記データ処理装置となるように制御してよい。上記データ編集部は、上記データ受信部が受信した上記複数の映像データを取得して編集する第１の映像編集ソフトと、上記データ受信部が受信した記複数の映像データを取得して編集する第２の映像編集ソフトとを有してよい。上記第１の映像編集ソフトは、予め設定された第１の条件に従って上記複数の映像データを編集してよく、上記第２の映像編集ソフトは、上記第１の条件とは異なる第２の条件に従って上記複数の映像データを編集してよい。
【０００７】
本発明の第２の態様によれば、管理装置が提供される。管理装置は、所在地が異なる複数のデータセンタから、撮影場所に対応するデータセンタを選択する選択部を備えてよい。管理装置は、撮影場所に位置する複数の通信端末のそれぞれから送信される撮影場所において撮影された複数の映像データの送信先が撮影場所に対応するデータセンタとなるように制御する送信先制御部を備えてよい。
【０００８】
上記選択部は、上記複数のデータセンタから、上記撮影場所に最も近い上記データセンタを選択してよい。上記管理装置は、上記撮影場所の位置情報を取得する位置情報取得部を有してよく、上記選択部は、上記複数のデータセンタのそれぞれの位置情報と、上記撮影場所の位置情報とに基づいて、上記撮影場所に対応する上記データセンタを選択してよい。上記送信先制御部は、上記複数の通信端末に、上記撮影場所に対応するデータセンタを示す送信先情報を送信することにより、上記複数の通信端末のそれぞれから送信される複数の映像データの送信先が上記撮影場所に対応する上記データセンタとなるように制御してよい。上記送信先制御部は、上記複数の通信端末と、上記撮影場所に対応する上記データセンタとの間でＶＰＮを構築することにより、上記複数の通信端末のそれぞれから送信される複数の映像データの送信先が上記撮影場所に対応する上記データセンタとなるように制御してよい。上記通信端末は、移動体通信端末であってよく、上記送信先制御部は、移動体通信加入者の情報を管理する加入者情報管理装置に格納されている上記通信端末に対応する情報を変更することにより、上記通信端末から送信される映像データの送信先が上記撮影場所に対応する上記データセンタとなるように制御してよい。
【０００９】
本発明の第３の態様によれば、コンピュータを、上記管理装置として機能させるためのプログラムが提供される。
【００１０】
なお、上記の発明の概要は、本発明の必要な特徴の全てを列挙したものではない。また、これらの特徴群のサブコンビネーションもまた、発明となりうる。
【図面の簡単な説明】
【００１１】
【図１】システム１０の一例を概略的に示す。
【図２】データセンタ２００の配置の一例を概略的に示す。
【図３】システム１０による処理の流れの一例を概略的に示す。
【図４】システム１０による処理の流れの一例を概略的に示す。
【図５】管理装置１００の機能構成の一例を概略的に示す。
【図６】データ処理装置２１０の機能構成の一例を概略的に示す。
【図７】管理装置１００として機能するコンピュータ１０００のハードウェア構成の一例を概略的に示す。
【発明を実施するための形態】
【００１２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１３】
図１は、システム１０の一例を概略的に示す。図２は、データセンタ２００の配置の一例を概略的に示す。システム１０は、管理装置１００と、複数のデータセンタ２００のそれぞれに設置された複数のデータ処理装置２１０とを備える。
【００１４】
複数のデータセンタ２００は、互いに所在地が異なる。複数のデータセンタ２００は、国内の各地に配置されてよい。また、複数のデータセンタ２００は、一つの地域内の各地に配置されてもよい。例えば日本の場合、複数のデータセンタ２００は、都道府県及び市区町村等の地域単位で配置されてよい。図２は、複数のデータセンタ２００が日本国内の各地に配置されている場合を例示している。データセンタ２００の数は、任意の数であってよい。
【００１５】
システム１０を提供するシステム提供者は、例えば、自らが所有する複数のデータセンタ２００を用いる。また、システム提供者は、他社が所有する複数のデータセンタ２００を用いてもよい。この場合、システム提供者は、他社のデータセンタ２００に自らが所有するデータ処理装置２１０を設置してよく、また、他社のデータセンタ２００に設置されている他社のデータ処理装置２１０を用いてもよい。システム提供者は、自らが所有する少なくとも１つのデータセンタ２００と、他社が所有する少なくとも１つのデータセンタ２００とを用いてもよい。
【００１６】
システム提供者は、システム１０によって、撮影場所３０においてカメラ３１０によって撮影された映像データを管理する管理サービスを提供する。撮影場所３０は、例えば、スタジアム及びホール等のイベントの開催場所であってよい。なお、撮影場所３０は、映像データの撮影が行われる場所であればどのような場所であってもよい。
【００１７】
本実施形態に係る管理装置１００は、撮影場所３０においてカメラ３１０によって撮影された映像データの送信先が、撮影場所３０に対応するデータセンタ２００に設置されたデータ処理装置２１０（撮影場所３０に対応するデータ処理装置２１０と記載する場合がある。）となるように制御する。
【００１８】
撮影場所３０に対応するデータセンタ２００とは、例えば、複数のデータセンタ２００のうち、撮影場所３０に最も近いデータセンタ２００であってよい。また、撮影場所３０に対応するデータセンタ２００とは、撮影場所３０を起点とする予め定められた範囲内に位置するデータセンタ２００であってもよい。予め定められた範囲内に複数のデータセンタ２００が存在する場合、撮影場所３０に対応するデータセンタ２００は、その複数のデータセンタ２００のうちのいずれであってもよい。
【００１９】
また、撮影場所３０に対応するデータセンタ２００とは、システム提供者が、撮影場所３０において撮影された映像データを送信する送信先として適していると判断して設定したデータセンタ２００であってもよい。また、撮影場所３０に対応するデータセンタ２００とは、管理サービスを享受するサービス享受者が、撮影場所３０において撮影された映像データを送信する送信先として適していると判断して設定したデータセンタ２００であってもよい。サービス享受者は、撮影場所３０で撮影された映像データを放送する者であってよく、例えば、放送事業者である。なお、これに限らず、サービス享受者は任意の者であってもよい。
【００２０】
撮影場所３０に対応するデータ処理装置２１０は、撮影場所３０に対応するデータセンタ２００に設置されているデータ処理装置２１０であってよい。
【００２１】
カメラ３１０によって撮影された映像データは、通信端末３００によって送信され得る。通信端末３００は、カメラ３１０に結合されてよく、結合部を介してカメラ３１０から映像データを取得してよい。また、通信端末３００は、カメラ３１０と有線接続されてよく、有線接続を介してカメラ３１０から映像データを受信してよい。当該有線接続の例としては、ＵＳＢケーブル及び各種ＡＶケーブル等が挙げられる。また、通信端末３００は、カメラ３１０と無線接続されてよく、無線接続を介してカメラ３１０から映像データを取得してよい。当該無線接続の例としては、Ｂｌｕｅｔｏｏｔｈ（登録商標）、ＺｉｇＢｅｅ（登録商標）、Ｚ−Ｗａｖｅ（登録商標）等の近距離無線通信が挙げられる。通信端末３００とカメラ３１０とは、一体であってもよい。
【００２２】
カメラ３１０によって撮影された映像データは、カメラ３１０によって圧縮されて、通信端末３００に送信されてよい。また、カメラ３１０によって撮影された映像データは、カメラ３１０とは別体のコーデック機器によって圧縮されて、通信端末３００に送信されてもよい。また、カメラ３１０によって撮影された映像データは、通信端末３００によって圧縮されてもよい。
【００２３】
管理装置１００は、例えば、複数の通信端末３００に、撮影場所３０に対応するデータ処理装置２１０を示す送信先情報を設定することにより、複数の通信端末３００のそれぞれから送信される複数の映像データの送信先が撮影場所３０に対応するデータ処理装置２１０となるように制御する。送信先情報は、通信においてデータ処理装置２１０を識別可能な情報であってよく、例えば、ＩＰアドレス等である。管理装置１００は、例えば、ネットワーク２０を介して、送信先情報を通信端末３００に設定する。
【００２４】
ネットワーク２０は、例えば、３Ｇ（３ｒｄ  Ｇｅｎｅｒａｔｉｏｎ）、ＬＴＥ（Ｌｏｎｇ  Ｔｅｒｍ  Ｅｖｏｌｕｔｉｏｎ）、４Ｇ（４ｔｈ  Ｇｅｎｅｒａｔｉｏｎ）、及び５Ｇ（５ｔｈ  Ｇｅｎｅｒａｔｉｏｎ）等の移動体通信網を含む。また、ネットワーク２０は、インターネットを含んでよい。また、ネットワーク２０は、公衆無線ＬＡＮ（Ｌｏｃａｌ  Ａｒｅａ  Ｎｅｔｗｏｒｋ）を含んでよい。また、ネットワーク２０は、いわゆる専用網を含んでよい。
【００２５】
複数の通信端末３００は、ネットワーク２０を介して、映像データをデータ処理装置２１０に対して送信する。ここでは、複数の通信端末３００が、５Ｇ（５ｔｈ  Ｇｅｎｅｒａｔｉｏｎ）の基地局４０を介して、映像データをデータ処理装置２１０に対して送信する例を主に挙げて説明するが、これに限らず、複数の通信端末３００は、３Ｇの基地局及びＬＴＥ（Ｌｏｎｇ  Ｔｅｒｍ  Ｅｖｏｌｕｔｉｏｎ）の基地局等を介して、映像データをデータ処理装置２１０に送信してもよい。また、複数の通信端末３００は、ＷｉＦｉ（登録商標）（Ｗｉｒｅｌｅｓｓ  Ｆｉｄｅｌｉｔｙ）のアクセスポイントを介して、映像データをデータ処理装置２１０に送信してもよい。
【００２６】
複数の通信端末３００のそれぞれから送信された複数の映像データを受信したデータ処理装置２１０は、複数の映像データを編集して編集済映像データを生成する。データ処理装置２１０は、複数の映像データに対して、映像の選択、切り出し、結合、拡大、縮小、テロップ等の挿入、及び音声編集等の公知の様々な編集を実行可能であってよい。複数の映像データが、例えば、サッカー及び野球等のスポーツの試合の映像データである場合、編集済映像データは、時間の流れに沿って複数の映像データが組み合わされた映像データであり得る。
【００２７】
データ処理装置２１０は、映像を編集する映像編集者の指示に従って複数の映像データを編集して、編集済映像データを生成してよい。また、データ処理装置２１０は、複数の映像データを自動的に編集して編集済映像データを生成してもよい。
【００２８】
ネットワーク２０が５Ｇに準拠する場合、データ処理装置２１０は、いわゆるＭＥＣ（Ｍｏｂｉｌｅ  Ｅｄｇｅ  Ｃｏｍｐｕｔｉｎｇ）の機能を利用してもよい。ここでＭＥＣとは、コアノードを基地局の近辺に設置し、データ処理を基地局の近辺のデータセンタで実行することである。従って、データセンタ２００は５ＧのＭＥＣを利用したものであってもよい。
【００２９】
データ処理装置２１０は、生成した編集済映像データを予め定められた宛先に送信してよい。予め定められた宛先は、例えば、システム提供者等によって設定される。例えば、宛先として、放送局５０が設定される。この場合、データ処理装置２１０は、編集済映像データを放送局５０に送信する。また例えば、宛先として、放送局５０の近辺に位置し、複数のデータ処理装置２１０をとりまとめる中央データ処理装置が設定されてもよい。この場合、データ処理装置２１０は、編集済映像データを中央データ処理装置に送信する。中央データ処理装置は、受信した編集済映像データを放送局５０に送信する。
【００３０】
撮影場所３０に対応するデータ処理装置２１０は、放送局５０よりも撮影場所３０に近いので、通信端末３００からデータ処理装置２１０までの通信距離は、通信端末３００から放送局５０までの通信距離よりも短い。また、複数の映像データと、当該複数の映像データから生成された編集済映像データとは、データ量が異なり、前者に対して後者の方が、データ量が少ない。したがって、本実施形態に係るシステム１０によれば、複数の通信端末３００のそれぞれが放送局５０に対して映像データを送信し、放送局５０において編集済映像データを生成する場合と比較して、全体の通信量を低減することができ、通信コストを低減することができる。
【００３１】
なお、従来このような映像の中継は、移動中継車によって実現されていた。従来の移動中継車は、撮影場所３０の近くまで移動し、撮影場所３０に位置する複数のカメラから映像を受信して、映像を編集し、放送局５０に送信していた。このような従来の仕組みに対して、本実施形態に係るシステム１０によれば、撮影場所３０がどのような場所であっても、その撮影場所３０に対応するデータ処理装置２１０を用いることによって、上述したような効率的な映像の管理を実現でき、移動中継車を現地まで移動させる手間及びコスト等を無くすことができる。また、移動中継車を用いる場合、撮影場所３０に位置する複数のカメラと移動中継車とを接続する同軸ケーブル及び光ファイバ等の回線を準備する必要があったが、本実施形態に係るシステム１０によれば、通信端末３００及び基地局４０によって映像データを送信することができるので、このような回線の準備を不要とすることができる。
【００３２】
また、従来からクラウド型の映像編集ソフトが知られている。クラウド型の映像編集ソフトとは、インターネット上のサーバに設置された映像編集ソフトであり、利用者はハードやソフトを購入することなく、使用時間などに応じて従量課金を支払うことで使用することができる。クラウド型の映像編集ソフトを用いれば、移動中継車を用いなくても、複数のカメラ３１０によって撮影された映像データをインターネット上のクラウド型の映像編集ソフトに送信して、クラウド型の映像編集ソフトから放送局５０に編集済映像データを送信することも可能である。しかし、この場合、複数のカメラ３１０のそれぞれによって撮影された複数の映像データをインターネット上のクラウド型の映像編集ソフトに送信する必要がある。インターネット上のサーバは必ずしも撮影場所の近くに設置されているとは限らない。仮にインターネット上のサーバが国外や国内の遠隔地に設置されている場合には、複数の映像データを遠隔地まで送信する必要がある。それに対して、本実施形態に係るシステム１０によれば、複数の映像データが、まず、撮影場所３０に対応するデータ処理装置２１０に送信され、データ処理装置２１０によって生成された編集済映像データが放送局５０に送信されるので、クラウド型の映像編集ソフトを用いる場合と比較して、全体の通信量を低減することができる。
【００３３】
システム提供者による映像管理サービスの提供形態として、様々な形態を採用し得る。例えば、システム提供者は、サービス享受者に対して、カメラ３１０及び通信端末３００を貸し出す。また、システム提供者は、カメラ３１０は貸し出さずに、通信端末３００をサービス享受者に対して貸し出してもよい。システム提供者は、管理装置１００によって撮影場所３０に対応するデータ処理装置２１０を示す送信先情報を設定した通信端末３００をサービス享受者に対して貸し出してよい。また、送信先情報は、カメラ３１０及び通信端末３００をサービス享受者に貸し出した後に設定されてもよい。例えば、管理装置１００は、サービス享受者に貸し出された後に、ネットワーク２０を介して、撮影場所３０に対応するデータ処理装置２１０を示す送信先情報を通信端末３００に送信することによって、当該送信先情報を通信端末３００に設定する。
【００３４】
また、システム提供者は、通信端末３００が移動体通信端末である場合に、ＳＩＭカードのみをサービス享受者に対して貸し出してもよい。この場合、システム提供者は、自ら用意した通信端末３００に、システム提供者から貸し出されたＳＩＭカードを挿入してよい。ＳＩＭカードには、撮影場所３０に対応するデータ処理装置２１０を示す送信先情報が設定されていてよい。また、当該送信先情報は、通信端末３００にＳＩＭカードが挿入された後に、管理装置１００によって、ネットワーク２０を介して通信端末３００に送信されてもよい。
【００３５】
システム提供者は、さらにコーデック機器をサービス享受者に貸し出してもよい。サービス享受者は、自らが用意したコーデック機器を用いてもよい。また、カメラ３１０及び通信端末３００の少なくともいずれかがコーデックを有してもよい。
【００３６】
図３は、システム１０による処理の流れの一例を概略的に示す。ここでは、撮影場所３０に位置する複数の通信端末３００に対して、管理装置１００が送信先を遠隔で設定する場合の処理の流れの一例を概略的に示す。ここでは、サービス享受者からシステム提供者に対して、撮影場所３０が既に通知されているものとして説明する。
【００３７】
ステップ（ステップをＳと省略して記載する場合がある。）１０２では、管理装置１００が、撮影場所３０に対応するデータ処理装置２１０を選択する。Ｓ１０４では、撮影場所３０に位置する複数の通信端末３００が、管理装置１００に対して、映像管理サービスを要求するサービス要求を送信する。Ｓ１０６では、管理装置１００が、Ｓ１０２において選択したデータ処理装置２１０を示す送信先情報を複数の通信端末３００に送信することによって、送信先を設定する。
【００３８】
Ｓ１０８では、複数の通信端末３００のそれぞれが、カメラ３１０によって撮影された映像データを、Ｓ１０６において設定された送信先であるデータ処理装置２１０に対して送信する。Ｓ１１０では、データ処理装置２１０が、Ｓ１０８において受信した複数の映像データを編集して、編集済映像データを生成する。Ｓ１１２では、データ処理装置２１０が、Ｓ１１０において生成した編集済映像データを放送局５０に送信する。
【００３９】
映像が生中継である場合、通信端末３００からデータ処理装置２１０に対する映像データの送信、データ処理装置２１０による編集済映像データの生成及び放送局５０への送信は適宜実行されてよい。映像が生中継でない場合、例えば、通信端末３００からデータ処理装置２１０に対する映像データの送信は、カメラ３１０による撮影が終了した後に実行されてよい。
【００４０】
なお、図３では、管理装置１００が、撮影場所３０に対応するデータ処理装置２１０を示す送信先情報を通信端末３００に送信することによって、通信端末３００による映像データの送信先が、撮影場所３０に対応するデータ処理装置２１０となるように制御したが、これに限らない。管理装置１００は、例えば、複数の通信端末３００と、撮影場所３０に対応するデータ処理装置２１０との間でＶＰＮ（Ｖｉｒｔｕａｌ  Ｐｒｉｖａｔｅ  Ｎｅｔｗｏｒｋ）を構築することによって、通信端末３００による映像データの送信先が、撮影場所３０に対応するデータ処理装置２１０となるように制御してもよい。例えば、Ｓ１０６において、管理装置１００は、Ｓ１０４でサービス要求を送信した複数の通信端末３００と、Ｓ１０２において選択したデータ処理装置２１０との間でＶＰＮを構築し、当該ＶＰＮにおいてデータ処理装置２１０を識別可能な識別情報を、複数の通信端末３００に設定する。
【００４１】
図４は、システム１０による処理の流れの一例を概略的に示す。ここでは、管理装置１００が、移動体通信加入者の情報を管理する加入者情報管理装置６０に格納されている通信端末３００に対する情報を変更することにより、通信端末３００から送信される映像データの送信先を設定する場合の処理の流れの一例を概略的に示す。加入者情報管理装置６０は、例えば、いわゆるＨＬＲ（Ｈｏｍｅ  Ｌｏｃａｔｉｏｎ  Ｒｅｇｉｓｔｅｒ）であってよい。図３と同様、サービス享受者からシステム提供者に対して、撮影場所３０が既に通知されているものとして説明する。
【００４２】
Ｓ２０２では、管理装置１００が、撮影場所３０に対応するデータ処理装置２１０を選択する。Ｓ２０４では、管理装置１００が、加入者情報管理装置６０によって管理されている複数の通信端末３００のそれぞれに対応する情報を変更することによって、複数の通信端末３００の映像データの送信先が、Ｓ２０２において選択したデータ処理装置２１０となるように設定する。
【００４３】
通信端末３００がシステム提供者からサービス享受者に貸し出された場合、管理装置１００は、貸し出された通信端末３００の端末識別情報を記録しておき、加入者情報管理装置６０によって管理されている当該端末識別情報に対応する情報を変更する。サービス享受者の通信端末３００が用いられる場合、例えば、サービス享受者は、予め、通信端末３００の端末識別情報を管理装置１００に登録する。管理装置１００は、加入者情報管理装置６０によって管理されている、登録された端末識別情報に対応する情報を変更する。
【００４４】
Ｓ２０６では、複数の通信端末３００が、位置登録を行う。複数の通信端末３００のそれぞれは、位置登録要求を基地局４０に送信する。位置登録要求を受信した基地局４０は、加入者情報管理装置６０に、複数の通信端末３００の位置登録を行う。Ｓ２０８では、加入者情報管理装置６０によって、複数の通信端末３００のそれぞれに対応付けて管理されている端末情報が、複数の通信端末３００のそれぞれに送信される。複数の通信端末３００のそれぞれは、当該端末情報によって、映像データの送信先であるデータ処理装置２１０を特定する。
【００４５】
Ｓ２１０では、複数の通信端末３００のそれぞれが、カメラ３１０によって撮影された映像データを、Ｓ２０８において特定した送信先であるデータ処理装置２１０に対して送信する。Ｓ２１２では、データ処理装置２１０が、Ｓ２１０において受信した複数の映像データを編集して、編集済映像データを生成する。Ｓ２１４では、データ処理装置２１０が、Ｓ２１２において生成した編集済映像データを放送局５０に送信する。
【００４６】
図５は、管理装置１００の機能構成の一例を概略的に示す。管理装置１００は、格納部１１０、選択部１２０、位置情報取得部１２２、撮影場所受付部１２４、及び送信先制御部１３０を備える。なお、管理装置１００がこれらのすべての構成を備えることは必須とは限らない。
【００４７】
格納部１１０は、各種情報を格納する。格納部１１０は、複数のデータセンタ２００のそれぞれの位置情報を格納してよい。格納部１１０は、複数のデータ処理装置２１０のそれぞれの位置情報を格納してよい。データ処理装置２１０の位置情報は、当該データ処理装置２１０が設置されているデータセンタ２００の位置情報と同一であってもよい。
【００４８】
格納部１１０は、サービス享受者に貸し出された通信端末３００の端末識別情報を格納してよい。また、格納部１１０は、サービス享受者によって登録された通信端末３００の端末識別情報を格納してよい。また、格納部１１０は、サービス享受者に貸し出されたＳＩＭカードに格納されている端末識別情報を格納してよい。
【００４９】
選択部１２０は、複数のデータ処理装置２１０から、撮影場所３０に対応するデータ処理装置２１０を選択する。選択部１２０は、例えば、システム提供者によって指定されたデータ処理装置２１０を選択する。選択部１２０は、サービス享受者によって指定されたデータ処理装置２１０を選択してもよい。
【００５０】
位置情報取得部１２２は、撮影場所３０の位置情報を取得する。位置情報取得部１２２は、例えば、システム提供者によって入力された位置情報を取得する。位置情報取得部１２２は、サービス享受者によって入力された位置情報を取得してもよい。
【００５１】
選択部１２０は、位置情報取得部１２２が取得した撮影場所３０の位置情報に基づいて、複数のデータ処理装置２１０から、撮影場所３０に対応するデータ処理装置２１０を選択してもよい。例えば、選択部１２０は、格納部１１０に格納されている複数のデータ処理装置２１０のそれぞれの位置情報と、位置情報取得部１２２が取得した撮影場所３０の位置情報とに基づいて、撮影場所３０に対応するデータ処理装置２１０を選択する。
【００５２】
選択部１２０は、例えば、複数のデータ処理装置２１０のうち、撮影場所３０に最も近いデータ処理装置２１０を選択する。また、選択部１２０は、複数のデータ処理装置２１０のうち、撮影場所３０を起点とする予め定められた範囲内に位置するデータ処理装置２１０を選択してもよい。予め定められた範囲内に複数のデータ処理装置２１０が存在する場合、選択部１２０は、その複数のデータ処理装置２１０のうちのいずれかを選択してよい。
【００５３】
撮影場所受付部１２４は、撮影場所３０の指定を受け付ける。撮影場所受付部１２４は、例えば、システム提供者からの撮影場所３０の指定を受け付ける。撮影場所受付部１２４は、サービス享受者からの撮影場所３０の指定を受け付けてもよい。撮影場所受付部１２４は、例えば、撮影場所の名称の指定を受け付ける。また、撮影場所受付部１２４は、例えば、地図上に複数の撮影場所の候補を配置した表示データを表示して、当該表示データに対するポインティング入力を受け付けることによって、撮影場所３０の指定を受け付ける。
【００５４】
撮影場所受付部１２４が撮影場所３０の指定を受け付けた場合、位置情報取得部１２２は、撮影場所受付部１２４が指定を受け付けた撮影場所３０の位置情報を取得してよい。位置情報取得部１２２は、例えば、複数の撮影場所３０のそれぞれの位置情報が登録されている登録情報を参照することにより、撮影場所受付部１２４が指定を受け付けた撮影場所３０の位置情報を取得してよい。
【００５５】
送信先制御部１３０は、撮影場所３０に位置する複数の通信端末３００のそれぞれから送信される撮影場所３０において撮影された複数の撮影データの送信先が、選択部１２０によって選択されたデータ処理装置２１０となるように制御する。送信先制御部１３０は、任意の手法によって、このような制御を行ってよい。
【００５６】
例えば、送信先制御部１３０は、複数の通信端末３００のそれぞれに対して、選択部１２０によって選択されたデータ処理装置２１０を示す送信先情報を設定する。また、例えば、送信先制御部１３０は、複数の通信端末３００と、選択部１２０によって選択されたデータ処理装置２１０との間でＶＰＮを構築する。送信先制御部１３０は、構築したＶＰＮ上でデータ処理装置２１０を識別可能な識別情報を複数の通信端末３００に通知することによって、複数の通信端末３００の映像データの送信先が、当該データ処理装置２１０となるように制御してよい。
【００５７】
また、例えば、送信先制御部１３０は、加入者情報管理装置６０によって管理されている、複数の通信端末３００のそれぞれに対応する情報を変更する。送信先制御部１３０は、例えば、複数の通信端末３００のそれぞれに対応する情報に、映像データの送信先を、選択部１２０によって選択されたデータ処理装置２１０とする情報を追加する。
【００５８】
送信先制御部１３０は、例えば、第１の撮影場所３０に対応するデータ処理装置２１０が選択部１２０によって選択された場合、複数の通信端末３００のそれぞれに対応する情報に、映像データの送信先を、第１の撮影場所３０に対応するデータ処理装置２１０とする情報を追加する。そして、その後に、例えば、第２の撮影場所３０に対応するデータ処理装置２１０が選択部１２０によって選択された場合、送信先制御部１３０は、映像データの送信先を、第１の撮影場所３０から、第２の撮影場所３０に変更すべく、情報を変更する。これにより、例えば、サービス享受者が、九州の撮影場所３０において映像管理サービスを享受した後、北海道の撮影場所３０において映像管理サービスの享受を希望する場合に、加入者情報管理装置６０によって管理されている情報を変更することによって、容易にサービス享受者が望むサービスを提供することができる。
【００５９】
図６は、データ処理装置２１０の機能構成の一例を概略的に示す。データ処理装置２１０は、データ受信部２１２、データ編集部２２０、及びデータ送信部２３０を備える。データ受信部２１２は、複数の通信端末３００のそれぞれによって送信された複数の映像データを受信する。
【００６０】
データ編集部２２０は、データ受信部２１２が受信した複数の映像データを編集して、編集済映像データを生成する。データ編集部２２０は、映像編集者の指示に従って複数の映像データを編集して編集済映像データを生成してよい。また、データ編集部２２０は、複数の映像データを自動的に編集して編集済映像データを生成してもよい。データ編集部２２０は、例えば、複数の映像データから編集済映像データを生成する映像編集ＡＩを用いて、編集済映像データを生成してよい。
【００６１】
データ編集部２２０は、複数の映像編集ソフトを有してよい。図６では、データ編集部２２０が、２つの映像編集ソフト２２２、映像編集ソフト２２４を有する場合を例示している。映像編集ソフト２２２及び映像編集ソフト２２４は、それぞれ異なる映像編集者の指示に従って編集済映像データを生成してよい。例えば、映像編集ソフト２２２は、データ受信部２１２が受信した複数の映像データを第１の映像編集者の指示に従って編集して、編集済映像データを生成し、映像編集ソフト２２４は、データ受信部２１２が受信した複数の映像データを第１の映像編集者とは異なる第２の映像編集者の指示に従って編集して、編集済映像データを生成する。これにより、同じ映像ソースを用いて、複数の映像編集者が同時にそれぞれの嗜好に合わせた映像編集を行うことができる。
【００６２】
また、映像編集ソフト２２２及び映像編集ソフト２２４は、それぞれ自動的に編集済映像データを生成してもよい。例えば、映像編集ソフト２２２は、データ受信部２１２が受信した複数の映像データを、予め設定された第１の条件に従って編集して編集済映像データを生成し、映像編集ソフト２２４は、データ受信部２１２が受信した複数の映像データを、第１の条件とは異なる第２の条件に従って編集して編集済映像データを生成する。
【００６３】
第１の条件及び第２の条件は、任意に設定されてよい。例えば、映像がサッカー及び野球等のスポーツの試合の映像である場合、第１の条件は、対戦する一方のチームの映像を優先的に使用することであり、第２の条件は、対戦する他方のチームの映像を優先的に使用することであってよい。また、第１の条件は、第１の選手の映像を優先的に使用することであり、第２の条件は、第１の選手とは異なる第２の選手の映像を優先的に使用することであってよい。
【００６４】
なお、映像編集ソフト２２２及び映像編集ソフト２２４は、互いに異なる映像編集ＡＩを用いて、編集済映像データを生成してもよい。例えば、映像編集ソフト２２２は、データ受信部２１２が受信した複数の映像データを、第１の映像編集ＡＩを用いて編集することによって編集済映像データを生成し、映像編集ソフト２２４は、データ受信部２１２が受信した複数の映像データを、第１の映像編集ＡＩとは異なる第２の映像編集ＡＩを用いて編集することによって編集済映像データを生成する。
【００６５】
従来の移動中継車では、複数の映像から一つの映像が生成されて、放送局５０に送信されていたが、本実施形態に係るデータ処理装置２１０によれば、複数の嗜好のそれぞれに合った編集済映像データを生成することができる。
【００６６】
データ送信部２３０は、データ編集部２２０によって生成された編集済映像データを予め定められた宛先に送信する。データ送信部２３０は、例えば、映像編集ソフト２２２及び映像編集ソフト２２４のそれぞれによって編集済映像データが生成された場合、映像編集ソフト２２２及び映像編集ソフト２２４によって生成された２つの編集済映像データを、同一の宛先に送信してよい。また、データ送信部２３０は、映像編集ソフト２２２及び映像編集ソフト２２４によって生成された２つの編集済映像データを、異なる宛先に送信してもよい。
【００６７】
図７は、管理装置１００又はデータ処理装置２１０として機能するコンピュータ１０００の一例を概略的に示す。本実施形態に係るコンピュータ１０００は、ホストコントローラ１０９２により相互に接続されるＣＰＵ１０１０、ＲＡＭ１０３０、及びグラフィックコントローラ１０８５を有するＣＰＵ周辺部と、入出力コントローラ１０９４によりホストコントローラ１０９２に接続されるＲＯＭ１０２０、通信Ｉ／Ｆ１０４０、ハードディスクドライブ１０５０、ＤＶＤドライブ１０７０及び入出力チップ１０８０を有する入出力部を備える。
【００６８】
ＣＰＵ１０１０は、ＲＯＭ１０２０及びＲＡＭ１０３０に格納されたプログラムに基づいて動作し、各部の制御を行う。グラフィックコントローラ１０８５は、ＣＰＵ１０１０などがＲＡＭ１０３０内に設けたフレーム・バッファ上に生成する画像データを取得し、ディスプレイ１０９０上に表示させる。これに代えて、グラフィックコントローラ１０８５は、ＣＰＵ１０１０などが生成する画像データを格納するフレーム・バッファを、内部に含んでもよい。
【００６９】
通信Ｉ／Ｆ１０４０は、有線又は無線によりネットワークを介して他の装置と通信する。また、通信Ｉ／Ｆ１０４０は、通信を行うハードウエアとして機能する。ハードディスクドライブ１０５０は、ＣＰＵ１０１０が使用するプログラム及びデータを格納する。ＤＶＤドライブ１０７０は、ＤＶＤ−ＲＯＭ１０７２からプログラム又はデータを読み取り、ＲＡＭ１０３０を介してハードディスクドライブ１０５０に提供する。
【００７０】
ＲＯＭ１０２０は、コンピュータ１０００が起動時に実行するブート・プログラム及びコンピュータ１０００のハードウエアに依存するプログラムなどを格納する。入出力チップ１０８０は、例えばパラレル・ポート、シリアル・ポート、キーボード・ポート、マウス・ポートなどを介して各種の入出力装置を入出力コントローラ１０９４へと接続する。
【００７１】
ＲＡＭ１０３０を介してハードディスクドライブ１０５０に提供されるプログラムは、ＤＶＤ−ＲＯＭ１０７２、又はＩＣカードなどの記録媒体に格納されて利用者によって提供される。プログラムは、記録媒体から読み出され、ＲＡＭ１０３０を介してハードディスクドライブ１０５０にインストールされ、ＣＰＵ１０１０において実行される。
【００７２】
コンピュータ１０００にインストールされ、コンピュータ１０００を管理装置１００又はデータ処理装置２１０として機能させるプログラムは、ＣＰＵ１０１０などに働きかけて、コンピュータ１０００を、管理装置１００又はデータ処理装置２１０の各部としてそれぞれ機能させてよい。これらのプログラムに記述された情報処理は、コンピュータ１０００に読込まれることにより、ソフトウエアと上述した各種のハードウエア資源とが協働した具体的手段である格納部１１０、選択部１２０、位置情報取得部１２２、撮影場所受付部１２４、及び送信先制御部１３０として機能する。また、これらのプログラムに記述された情報処理は、コンピュータ１０００に読込まれることにより、ソフトウエアと上述した各種のハードウエア資源とが協働した具体的手段であるデータ受信部２１２、データ編集部２２０、及びデータ送信部２３０として機能する。そして、これらの具体的手段によって、本実施形態におけるコンピュータ１０００の使用目的に応じた情報の演算又は加工を実現することにより、使用目的に応じた特有の管理装置１００又はデータ処理装置２１０が構築される。
【００７３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７４】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００７５】
１０  システム、２０  ネットワーク、３０  撮影場所、４０  基地局、５０  放送局、６０  加入者情報管理装置、１００  管理装置、１１０  格納部、１２０  選択部、１２２  位置情報取得部、１２４  撮影場所受付部、１３０  送信先制御部、２００  データセンタ、２１０  データ処理装置、２１２  データ受信部、２２０  データ編集部、２２２  映像編集ソフト、２２４  映像編集ソフト、２３０  データ送信部、３００  通信端末、３１０  カメラ、１０００  コンピュータ、１０１０  ＣＰＵ、１０２０  ＲＯＭ、１０３０  ＲＡＭ、１０４０  通信Ｉ／Ｆ、１０５０  ハードディスクドライブ、１０７０  ＤＶＤドライブ、１０７２  ＤＶＤ−ＲＯＭ、１０８０  入出力チップ、１０８５  グラフィックコントローラ、１０９０  ディスプレイ、１０９２  ホストコントローラ、１０９４  入出力コントローラ
【図１】
2020028020.tif 000003
【図２】
2020028020.tif 000004
【図３】
2020028020.tif 000005
【図４】
2020028020.tif 000006
【図５】
2020028020.tif 000007
【図６】
2020028020.tif 000008
【図７】
2020028020.tif 000009